(57)【要約】【課題】手早く簡単に撒き餌を籠部に充填できるとともに、水中の上層側に撒き餌することができる釣り用浮き籠装置及びその製造方法を提供する。【解決手段】道糸１００に連係され撒き餌とともに握り込み動作することによって撒き餌を充填させ得るように設けられた籠部１２に、浮き体１４を一体的に組付けて浮き籠一体構造体１０を形成し、浮き体１４は、浮き籠一体構造体１０を含む仕掛けを投入した際に全体が水面側に浮力支持され得る程度の浮力を設定された釣り用浮き籠装置から構成される。撒き餌を籠部１２に充填する作業を手早く簡単に行うことができ、高い釣果を挙げることができるとともに、浮き籠装置１に道糸１００を中通しして、当り浮き１１０を接続することができ、当りのタイミングを確実に察知することができる。【選択図】        図１
2004187508.tif 000002
【特許請求の範囲】
【請求項１】
道糸に連係され撒き餌とともに握り込み動作することによって撒き餌を充填させ得るように設けられた籠部に、浮き体を一体的に組付けて浮き籠一体構造体を形成し、
浮き体は、浮き籠一体構造体を含む仕掛けを投入した際に全体が水面側に浮力支持され得る程度の浮力を設定されていることを特徴とする釣り用浮き籠装置。
【請求項２】
握り込み軸を横方向とするように、浮き籠一体構造体が水面側で横倒し状態となるように籠部と浮き体が一体的に組付けられたことを特徴とする請求項１記載の釣り用浮き籠装置。
【請求項３】
浮き籠一体構造体は、籠部を横倒しした状態でその左右両端部側に浮き体がそれぞれ連結されるように組付けられてなる請求項２記載の釣り用浮き籠装置。
【請求項４】
籠部内の中間位置に握り込み軸に沿うようにパイプ部材を配置し、その両端部側にそれぞれ浮き体を連結させ、
それぞれの浮き体には、パイプ部材と連通する中通し孔を形成させ、
浮き体の中通し孔及びパイプ部材の孔に道糸が挿通され、道糸に対して浮き籠一体構造体全体が自在に移動し得るように設けられたことを特徴とする請求項３記載の釣り用浮き籠装置。
【請求項５】
釣り用浮き籠装置の製造方法であって、
パイプ部材の両端部側に中通し孔が穿孔された浮き体をその中通し孔とパイプ部材の孔とが連通するように連結させて浮き連結体を構成し、それぞれの浮き体には互いに近接方向に対して段上がりとなる段差部を予め形成させておき、
原形復元自在に形成されたコイル状の撒き餌籠を引き伸ばして、その状態で引き伸ばし間隙を介して浮き連結体を撒き餌籠内に入れ、撒き餌籠を元の状態に戻し、撒き餌籠の端部とそれぞれの浮き体の段差部とを係着させて撒き餌籠と浮き体とを一体的に組付けることを特徴とする釣り用浮き籠装置の製造方法。
【発明の詳細な説明】
【０００１】
【発明の属する技術分野】
本発明は、撒き餌を籠内に充填し、仕掛けとともに投入して撒き餌効果を起こさせながら魚を釣るのに用いられる釣り用浮き籠装置及びその製造方法に関する。
【０００２】
【従来の技術】
従来、釣りの際に、仕掛けとともに撒き餌籠を水中に投入することにより撒き餌をする方法が用いられており、例えば、本出願人が先に出願した「撒き餌籠装置」（実用新案文献１参照）や、従来より広く知られた撒き餌籠（例えば、実用新案文献１（段落番号（０００３））参照）等が知られている。これらの従来の撒き餌籠は、金属線を所要位置に開口を有するように格子状に組付けて構成されており、撒き餌籠を重りとともに仕掛けに接続し、海中深く沈めた状態で、籠の開口から撒き餌を放出するものであり、海中の深い層を回遊する魚等を対象にして釣りをする際に用いられている。
【実用新案文献１】登録実用新案第３０５８７６３号公報
【０００３】
【発明が解決しようとする課題】
しかしながら、例えば、メジナ、チヌ（クロダイ）、イサキ等の海中の比較的上層側を回遊する魚を対象とした釣りの際には、上述のような撒き餌籠は、重りによって海中深く沈めた状態で使用するので、海面側に効果的に撒き餌するのは困難であり、実用性が低い。そこで、従来では、海中の上層側を回遊する魚を狙う際には、例えば、予め、練り状の撒き餌をバケツに入れておいて、適宜ひしゃく等ですくって、水中に投入した仕掛けの位置を目掛けて遠投することによって撒き餌する方法がとられている。しかしながら、この撒き餌をひしゃくですくって遠投する方法では、小分けに何回も撒き餌しなければならなかったので面倒であるとともに、数ｍ以上遠く離れて配置される仕掛けの位置近辺に、適切に遠投して撒き餌するのは困難であるので、撒き餌効果が非常に低く、高い釣果を期待できなかった。
【０００４】
一方、海中の上層側の魚を狙った撒き餌籠の仕掛けとして、例えば、図８に示すような反転籠等が知られている。従来の反転籠は、図８（ａ）に示すように、上端側を開口し、下端に浮きが連結された縦長円筒状の金属製編み籠から構成されており、道糸に枝分かれ状に接続されている。そして、籠上端の開口から撒き餌を籠内に充填して水中に投入すると、図８（ｂ）に示すように、籠の下端に接続された浮きの浮力により水中で籠が上下反転して、反転後下端側の開口から籠内の撒き餌を水中の下方に向けて放出するものであった。しかしながら、この従来の反転籠では、撒き餌を籠に充填する際に、撒き餌をひしゃく等ですくって籠の小さな開口から少しずつ籠内に入れる動作を複数回繰りかえさなければならので釣り手は非常に煩しく感じるとともに、仕掛けの水中投入後の撒き餌効果が低く、したがって、良い釣果を挙げることができなかった。さらに、反転籠が道糸から枝分かれ状に接続されているので、仕掛けが絡みやすく、目標地点まで仕掛けを安定的に投てきすることが困難であった。また、この従来の反転籠を備えた仕掛けに当り浮きを接続しても、当り浮きが深く水中に沈んだ状態になりやすいので、釣り手が当り浮きを視認することが難しく、当りのタイミングを察知しにくいという問題があった。
【０００５】
本発明は上記従来の課題に鑑みてなされたものであり、その第一の目的は、手早く簡単に撒き餌を籠部に充填できるとともに、水中の上層側に撒き餌することができる釣り用浮き籠装置及びその製造方法を提供することにある。また、第２の目的は、高い撒き餌効果を奏し得る釣り用浮き籠装置及びその製造方法を提供することにある。第３の目的は、仕掛けが絡まりにくいとともに、当り浮きの視認性を良好に確保できる釣り用浮き籠装置及びその製造方法を提供することにある。さらに、第４の目的は、浮き籠装置の組付け作業が簡単にできる釣り用浮き籠装置の製造方法を提供することにある。
【０００６】
【課題を解決するための手段】
上記課題を解決するために本発明は、道糸１００に連係され撒き餌とともに握り込み動作することによって撒き餌を充填させ得るように設けられた籠部１２に、浮き体１４を一体的に組付けて浮き籠一体構造体１０を形成し、浮き体１４は、浮き籠一体構造体１０を含む仕掛けを投入した際に全体が水面側に浮力支持され得る程度の浮力を設定されていることを特徴とする釣り用浮き籠装置から構成される。
【０００７】
また、握り込み軸を横方向とするように、浮き籠一体構造体１０が水面側で横倒し状態となるように籠部１２と浮き体１４が一体的に組付けられたこととしてもよい。
【０００８】
また、浮き籠一体構造体１０は、籠部１２を横倒しした状態でその左右両端部側に浮き体１４がそれぞれ連結されるように組付けられてなることとしてもよい。
【０００９】
また、籠部１２内の中間位置に握り込み軸に沿うようにパイプ部材１６を配置し、その両端部側にそれぞれ浮き体１４を連結させ、それぞれの浮き体１４には、パイプ部材１６と連通する中通し孔２２を形成させ、浮き体１４の中通し孔２２及びパイプ部材１６の孔２６に道糸１００が挿通され、道糸１００に対して浮き籠一体構造体全体１０が自在に移動し得るように設けられたこととしてもよい。
【００１０】
さらに、釣り用浮き籠装置の製造方法であって、パイプ部材１６の両端部側に中通し孔２２が穿孔された浮き体１４をその中通し孔２２とパイプ部材１６の孔２６とが連通するように連結させて浮き連結体１８を構成し、それぞれの浮き体１４には互いに近接方向に対して段上がりとなる段差部２０を予め形成させておき、原形復元自在に形成されたコイル状の撒き餌籠３０を引き伸ばして、その状態で引き伸ばし間隙を介して浮き連結体１８を撒き餌籠３０内に入れ、撒き餌籠３０を元の状態に戻し、撒き餌籠３０の端部とそれぞれの浮き体１４の段差部２０とを係着させて撒き餌籠３０と浮き体１４とを一体的に組付けることを特徴とする釣り用浮き籠装置の製造方法から構成される。
【００１１】
【発明の実施の形態】
以下、添付図面を参照しつつ本発明の釣り用浮き籠装置及び釣り用浮き籠装置の製造方法の実施の形態を説明する。図１ないし図５は、本発明の釣り用浮き籠装置の実施形態を示している。この実施形態において、本発明の釣り用浮き籠装置は、図１、図３に示すように、籠部１２に浮き体１４が一体的に組みつけられた浮き籠一体構造体１０から形成されている。籠部１２は、例えば、ステンレス等の耐食性のある金属線を内部に中空空間を形成しつつ間隙Ｈをあけながらコイル状に巻かれて横長の略円筒形コイルばね状に形成されている。籠部１２は、円筒形状の長手方向軸を握り込み軸Ｃとして、例えば、練り状の撒き餌とともに握り込み動作することにより間隙Ｈを介して籠部内に撒き餌を充填させることができる。この実施形態において、籠部１２は、その金属線の線径が、例えば約１ｍｍ程度の太さで、線間の間隙Ｈが約１０ｍｍ程度のコイルばね状に形成されている。籠部１２の左右両端部は、その胴部より径を小さく設けたリング状の連結端部１３が設けられており、浮き体１４がそれぞれ一体的に連結されている。なお、籠部１２の形状は、例えば、円錐台形状、中央側に向けて拡径された樽形形状等、その他任意形状でもよい。また、籠部の大きさや長さ、又は線径の太さ、間隙等は任意に設定される。また、籠部は、コイルばね状のものに限らず、握り込み動作で撒き餌が籠内部に装填され得る程度の粗い網目の網籠状に形成されていてもよい。
【００１２】
図３、図４に示すように、浮き体１４は、浮き籠一体構造体１０を浮力支持する浮力手段であり、浮き籠一体構造体１０を含む仕掛け１０４を水中に投入した際に、浮き籠一体構造体１０を含む仕掛け１０４全体を水面側に浮力支持し得る程度の浮力が設定されている。この実施形態において、浮き体１４は、籠部１２の左右両端部側にそれぞれ一体的に連結されており、浮き籠一体構造体１０が水面側で握り込み軸を横方向とした横倒し状態になるように浮き籠一体構造体１０を浮力支持する。この実施形態において、浮き体１４は、２個の浮き体１４をパイプ部材１６の両端に固定させて浮き連結体１８を構成しており、パイプ部材１６に支持された状態で籠部１２と一体的に組付けられる。図２、図５に示すように、浮き体１４は、例えば、桐材等の木製浮きからなり、径の異なる略半球体を平面側で接合させたような形状で設けられて、小径半球部１４ａと大径半球部１４ｂとを有し、その境界には段差部２０が形成されている。浮き体１４は、この段差部２０を籠部１２の連結端部１３に係着させて連結されており、小径半球部１４ａの径を籠部のリング状の連結端部１３の径より若干小さく設け、大径半球部１４ｂの径を籠部１２の連結端部１３の径よりも大きく設定される。図５にも示すように、浮き体１４には、段差部２０を含む平面に対して直交方向で浮き体１４の中央を貫通する中通し孔２２が穿孔されており、道糸１００を挿通し得るように設けられている。浮き体１４は、それぞれの中通し孔２２が握り込み軸に沿って一直線状になるように配置され、さらに、各中通し孔２２とパイプ部材１６と直線状の連通孔を形成するように連結されている。その際、浮き体１４は、大径半球部１４ｂ側を籠部１２内に、小径半球部１４ａを籠部外側に向けて、段差部２０が互いに近接方向に対して段上がりとなるように配置されており、籠部１２の連結端部１３と段差部２０とを係着した状態で固定される。固定方法としては、例えば、接着剤、嵌合、ピン止め等その他任意の方法で良い。なお、浮き体１４は、桐材に限らずその他の木材、発泡樹脂等を含む合成樹脂等任意のものでよい。浮き体の形状は、例えば、略ラグビーボール状、略立体矩形体等その他任意の形状に段差部を設けたものでもよい。
【００１３】
パイプ部材１６は、図１、図５に示すように、籠部１２内であって、握り込み軸に沿うように配置され、浮き体１４を両端部側に連結して一体的に支持すると同時に、パイプ孔２６と浮き体１４の中通し孔２２とを連通させて道糸１００を挿通させる道糸案内路２４を形成する。この実施形態において、パイプ部材１６は、例えば、ステンレス製の細長い中空の直状管から形成されており、籠部１２内の中央軸位置に配置され、そのパイプ孔２６を浮き体１４の中通し孔２２と直線状に連通させた状態で浮き体１４と連結されている。パイプ部材１６と、浮き体１４との連結は、例えば、浮き体１４の中通し孔２２の大径半球部側の一部を拡径してパイプ連結用孔２３とし、パイプ部材１６の端部を挿入して接着剤等により固定している。このように、パイプ部材１６に浮き体１２を連結させて浮き連結体１８を構成して籠部１２と一体的に組付け、その軸方向に直線状に連通した中通し孔２２とパイプ孔２６とを道糸案内路２４として、道糸１００を遊挿状に挿通させることにより、浮き籠一体構造体１０全体が道糸１００に対して自在に遊動し得るように設けられる。パイプ部材１６内を挿通させることにより、籠部１２に撒き餌を充填した際に撒き餌が道糸１００に直接まとわりつくことが防止され、浮き籠装置の遊動状態を維持する。なお、パイプ部材は、例えば、硬質の耐食性のある金属、軽金属または合成樹脂等その他の任意の素材から形成されていてもよい。また、パイプ部材１６の端部を浮き体１４の外側端部付近あるいは外側に突出させても良い。なお、パイプ部材１６は籠部１２の中央軸位置から籠部内の任意の軸ずれ位置に配置されていてもよい。
【００１４】
実施形態に係る釣り用浮き籠装置１を使用するに際しては、まず、予めバケツ等の容器に用意しておいたアミ、えび、パン粉等を練り状にした撒き餌を手につかんで籠部１２の外部から握り込み動作することにより籠部１２に充填する。これにより、簡便に撒き餌を籠部に充填できる。撒き餌を籠部に充填した浮き籠装置１を仕掛け１０４全体とともに目的位置目掛けて投てきする。道糸１００を浮き籠一体構造体１０の握り込み軸方向に挿通させているので、仕掛けが絡まりにくく、仕掛けを目的位置まで安定して投てきすることができる。図３、図４に示すように、釣り用浮き籠装置を仕掛けとともに水中に投入すると、籠部１２の左右両端にそれぞれ固定された浮き体１４の浮力により、浮き籠一体構造体１０すなわち浮き籠装置１が横倒し状態で水面側に浮力支持される。この際、道糸１００が浮き籠装置に対して移動自在であるので、横倒し状態が好適に維持される。撒き餌は徐々に、水中に広がっていき、これにより、水面側に撒き餌が効果的に広がって、高い撒き餌効果を得ることができる。さらに、横倒し状態の浮き籠一体構造体から引出された道糸に接続された当り浮き１１０は水面側に沿って配置され、これによって、当り浮き１１０の視認性がよいので、釣り手は確実に当りを察知することができ、高い釣果を得ることができる。なお、当り浮き１１０を接続しない場合には、浮き籠装置は道糸１００に対して全遊動となり、水中上層側の魚に限らず、深い層を回遊する魚を狙う場合にも利用することができる。なお、浮き籠装置は、上記のように、道糸を握り込み軸方向に中通し状態で挿通させるものに限らず、例えば、投てき安定性の低下や当り浮きの視認性低下等の問題が生じる可能性があるが、浮き籠装置が道糸１００に対して枝分かれ状になるように浮き籠装置の一端側を道糸１００に通係接続することとしてもよい。
【００１５】
次に、本実施形態の釣り用浮き籠装置の製造方法について説明する。図６（ａ）において、予め、上述したように、浮き体１４をパイプ部材１６の両端部側に連結して、内部に道糸案内路を有する浮き連結体１８を構成しておく。一方、浮き籠装置の籠部１２となる撒き餌籠３０は、円筒体コイルばね状に形成し原形復元自在とし、その両端部には胴部より小径のリング状の連結端部３０ａを形成しておく。そして、撒き餌籠３０を引き伸ばし動作によって伸長または屈曲自在に変形させ、撒き餌籠３０の螺旋間隙を広げることにより生じた引き伸ばし間隙を介して、浮き連結体１８を撒き餌籠３０内に入れる。図６（ｂ）に示すように、撒き餌籠３０内に浮き連結体１８の一方の浮き体１４を引き伸ばし間隙から籠部内に入れ、浮き体１４の小径半球部１４ａを撒き餌籠３０の一端側のリング状連結端部内に挿入させつつ浮き体１４の段差部２０とを係着させる。浮き体１４を入れる際には、撒き餌籠３０全体が略円弧状になるように曲げながら引き伸ばすと、外側の引き伸ばし間隙が大きくなって、より入れやすくなる。同様に、他方の浮き体を引き伸ばし間隙を介して撒き餌籠内に入れて浮き連結体１８全体を撒き餌籠３０内に入れる。引き伸ばし状態を解放すると、図６（ｃ）に示すように、籠部１２は、自身の復元力で原形の円筒体形状に復元する。そして、撒き餌籠３０の連結端部３０ａと浮き体１４とをそれぞれ係着させた状態で互いに固定して、撒き餌籠３０（すなわち籠部１２）と、浮き体１４とを一体的に組付ける。これにより、撒き餌籠３０と浮き体１４の組付け作業が簡単にできる。また、撒き餌籠の原形復元力が撒き餌籠両端の浮き体を近接させる方向に働くので、浮き体とパイプ部材との連結方向に一致し、後述の実施形態に比べて組付け強度が高い構造体の浮き籠装置を製造できる。さらに、予め浮き連結体を一体的に構成しておくことにより、製造工程の煩雑化を防止できる。
【００１６】
また、図７を参照しつつ本発明の釣り用浮き籠装置及びその製造方法の他の実施形態について説明するが上記実施形態と同一部材には同一符号を付しその詳細な説明は省略する。図７に示すように、上記実施形態の図２に示すような外形形状の浮き体１４を、上記実施形態とは逆に小径半球部１４ａ側を近接させて、それぞれ段差部２０が互いに離隔方向に段上がりとなるようにパイプ部材１６と連結してもよい。この場合、例えば、パイプ部材１６を１個の浮き体１４とのみ連結しておき、そのパイプ部材１６を籠部１２内に挿入し、籠部のリング状の連結端部１３とパイプ部材１６と連結された浮き体１４の段差部２０とを係着させた状態で、もう一方の浮き体１４をパイプ部材１６の他端に連結させながら、浮き体１４の段差部２０を籠部の他端の連結端部１３に係着させて、籠部１２と浮き体１４とを一体的に連結することにより釣り用浮き籠装置を製造するようにしてもよい。なお、この実施形態では、上記実施形態の製造方法にように、撒き餌籠が引き伸ばし可変で原形復元自在のものに限定されることがなく、例えば、変形しにくい網籠等でもよく、多種の籠部の形態を実施でき、浮き籠装置の製作自由度が高い。
【００１７】
本発明の釣り用浮き籠装置及びその製造方法は、上記した実施の形態に限定されるものでなく特許請求の範囲に記載した発明の本質を逸脱しない範囲において任意の改変をしても良い。浮き体の形状は、例えば、球体の周囲に帯状に突出させて段差部を形成させたものでも良く、その他任意形状でもよい。また、浮き体に段差部を設けなくても良く、例えば、籠部の端部を浮き体に貫通させて固定したり、その他任意の固定方法で固定させてもよい。浮き体とパイプ部材とを一体的に成形し、浮き連結体を一部材で構成することとしてもよい。
【００１８】
【発明の効果】
上記したように本発明の釣り用浮き籠装置によれば、道糸に連係され撒き餌とともに握り込み動作することによって撒き餌を充填させ得るように設けられた籠部に、浮き体を一体的に組付けて浮き籠一体構造体を形成し、浮き体は、浮き籠一体構造体を含む仕掛けを投入した際に全体が水面側に浮力支持され得る程度の浮力を設定されている構成であるから、上層側を遊泳する釣り対象魚に対して効果的な撒き餌をすることができるとともに、撒き餌を籠部に充填する作業を手早く簡単に行うことができ、したがって、釣り手が煩わしい思いをすることなく快適に釣りを楽しむことができ、高い釣果を挙げることができる。また、浮き籠装置に道糸を中通し可能に設けることができ、当り浮きを接続して当りのタイミングを確実に察知することができる。
【００１９】
また、握り込み軸を横方向とするように、浮き籠一体構造体が水面側で横倒し状態となるように籠部と浮き体が一体的に組付けられた構成とすることにより、撒き餌が水面側及び水中の上層側に効果的に広がって、上層側を遊泳する対象魚に対して高い撒き餌効果を奏するとともに、浮き籠装置の水中に沈む部分が少ないので魚にあたえる警戒心を低減させることができ、これにより、より高い釣果を挙げることができる。
【００２０】
また、浮き籠一体構造体は、籠部を横倒しした状態でその左右両端部側に浮き体がそれぞれ連結されるように組付けられてなる構成とすることにより、簡単な構成で、浮き籠一体構造体を水面側で横倒し状態に浮力支持させるのを実現でき、低コストで製造することができる。
【００２１】
また。籠部内の中間位置に握り込み軸に沿うようにパイプ部材を配置し、その両端部側にそれぞれ浮き体を連結させ、それぞれの浮き体には、パイプ部材と連通する中通し孔を形成させ、浮き体の中通し孔及びパイプ部材の孔に道糸が挿通され、道糸に対して浮き籠一体構造体全体が自在に移動し得るように設けられた構成とすることにより、仕掛けが絡みにくいとともに、風の影響等も小さく、仕掛けを目標地点へ安定的に投てきすることができる。籠部に充填された撒き餌が挿通する道糸にまとわりつくことなく、道糸に対する浮き籠一体構造体全体の自在な移動を確保できる。さらに、仕掛けに接続した当り浮きの視認性を確保でき、当りを確実に察知することができる。
【００２２】
さらに、本発明の釣り用浮き籠装置の製造方法によれば、釣り用浮き籠装置の製造方法であって、パイプ部材の両端部側に中通し孔が穿孔された浮き体をその中通し孔とパイプ部材の孔とが連通するように連結させて浮き連結体を構成し、それぞれの浮き体には互いに近接方向に対して段上がりとなる段差部を予め形成させておき、原形復元自在に形成されたコイル状の撒き餌籠を引き伸ばして、その状態で引き伸ばし間隙を介して浮き連結体を撒き餌籠内に入れ、撒き餌籠を元の状態に戻し、撒き餌籠の端部とそれぞれの浮き体の段差部とを係着させて撒き餌籠と浮き体とを一体的に組付ける構成とすることにより、籠部と浮き体の組付け作業が簡単にできるとともに、組付け強度が高い撒き餌籠と浮き体とを一体とした構造体の釣り用浮き籠装置を製造できる。
【図面の簡単な説明】
【図１】本発明の釣り用浮き籠装置の一実施形態の正面図である。
【図２】（ａ）は、図１の浮き籠装置の浮き体の斜視図、（ｂ）は、（ａ）の左側面図である。
【図３】図１の浮き籠装置の使用状態説明図である。
【図４】図４の浮き籠装置周辺の拡大図である。
【図５】図１の要部断面説明図である。
【図６】実施形態の釣り用浮き籠装置の製造方法の説明図である。
【図７】釣り用浮き籠装置の他の実施形態の説明図である。
【図８】（ａ）従来の反転籠の説明図、（ｂ）は反転籠の使用状態説明図である。
【符号の説明】
１０  浮き籠一体構造体
１２  籠部
１４  浮き体
１６  パイプ部材
１８  浮き連結体
２０  段差部
２２  中通し孔
３０  撒き餌籠
１００  道糸
【図１】
2004187508.tif 000003
【図２】
2004187508.tif 000004
【図３】
2004187508.tif 000005
【図４】
2004187508.tif 000006
【図５】
2004187508.tif 000007
【図６】
2004187508.tif 000008
【図７】
2004187508.tif 000009
【図８】
2004187508.tif 000010